(57)【要約】【課題】過負荷の発生が有効に防止できる横型バースクリーン装置を提供する。【解決手段】複数のバー１４が配置されたスクリーン部１２と、上流側および下流側にそれぞれ配置された上部のスプロケット１６間および下部のスプロケット１６間にそれぞれ巻き掛けられたチェーン２０と、上下のチェーン２０間にまたがって取り付けられたレーキアタッチメント２１に装着された複数のレーキ体２２とを備える。電動機１９の正転駆動により複数のレーキ体２２が各バー１４間を上流側から下流側に向かって移動する。負荷センサ２７が設定値以上の負荷を検出すると、電動機１９の回転駆動を停止させ、逆転駆動するようにし、この逆転駆動後の所定時間内に設定値以上の負荷を検出すると、さらに電動機１９の回転駆動を停止させ、反転駆動するようにし、この反転駆動を一定回数繰り返すと、運転停止するように制御する制御部２４を備える。【選択図】        図４
2005036423.tif 000002
【特許請求の範囲】
【請求項１】
複数のバーが上下方向に等間隔を有して配置されたスクリーン部と、流路における上流側の上部と下部および下流側の上部と下部にそれぞれ配置されたスプロケットと、上部のスプロケット間および下部のスプロケット間にそれぞれ巻き掛けられたチェーンと、上下のチェーン間にまたがって取り付けられたレーキアタッチメントと、レーキアタッチメントに装着されると共に各バー間より外方突出可能とされた複数のレーキ体とが備えられ、電動機の正転駆動による各スプロケットの回転駆動により複数のレーキ体が各バー間を上流側から下流側に向かって移動する横型バースクリーン装置において、
前記電動機の電流もしくは電力を検出する負荷検出器が備えられ、該負荷検出器が設定値以上の負荷を検出すると、電動機の回転駆動を停止させ、逆転駆動するようにし、この逆転駆動後の所定時間内に前記設定値以上の負荷を検出すると、さらに電動機の回転駆動を停止させ、反転駆動するようにし、この反転駆動を一定回数繰り返すと、運転停止するように制御する制御部が備えられたことを特徴とする横型バースクリーン装置。
【請求項２】
前記制御部は、前記電動機の前記逆転駆動している時間が前記所定時間を経過すれば、自動的に前記正転駆動に戻すように制御することを特徴とする請求項１に記載の横型バースクリーン装置。
【請求項３】
前記各バー間を下流側から上流側に向かって移動する各レーキ体の移動方向前側端縁における各バーに対してなす角度が、鈍角に形成されたことを特徴とする請求項１または請求項２に記載の横型バースクリーン装置。
【請求項４】
前記各バーの上流側端部および下流側端部に、各バーを前記等間隔に保持するためのスペーサ体が配置され、上流側端部に配置されたスペーサ体の下流側端縁が、スクリーン部の外方向に対して漸次上流側に傾斜する外広がり傾斜縁とされたことを特徴とする請求項１ないし請求項３のいずれかに記載の横型バースクリーン装置。
【請求項５】
前記各レーキ体が前記各バー間を移動する際、各レーキ体を前記スクリーン部の内外方向に対して蛇行状に移動させることを特徴とする請求項１ないし請求項４のいずれかに記載の横型バースクリーン装置。
【発明の詳細な説明】
【０００１】
【発明の属する技術分野】
本発明は、合流式下水道の雨水吐き室における未処理放流水のろ過や河川での取水ろ過等に用いられる横型バースクリーン装置に関するものである。
【０００２】
【従来の技術】
従来、この種のスクリーン装置として、複数のバーが上下方向に等間隔を有して配置されたスクリーン部を備え、スプロケットの回転駆動により循環回走されるチェーンに装着された複数のレーキ体が、前記各バー間を上流側から下流側に向かって移動され、スクリーン部に捕捉されたゴミ等の夾雑物を下流側へかき寄せ案内し、その夾雑物をスクリーン部の外面側を流れる流体の流れに沿って下流に流す構造のものがある（例えば、特許文献１参照。）。
【０００３】
そして、このスクリーン装置によれば、スクリーン部に対する夾雑物のかみ込みを防止するため、各ウェッジバー間の各レーキ体としてのかき寄せ櫛の移動に際して、各ウェッジバーと各かき寄せ櫛とのなす角度が鈍角となる構造とし、夾雑物を各ウェッジバー間に押し込まないような構造や、各ウェッジバー間の背面から水を噴出させ、夾雑物を噴水流によりもとの河川側に戻す構造が採用されている。
【０００４】
また、水をろ過する装置として、スクレーパを具備したケーシング内に回転駆動される回転式ドラムスクリーンを備え、ドラムスクリーンやスクレーパに対する塵芥のかみ込みや、ドラムスクリーンの塵芥による閉塞等によるドラムスクリーンの回転抵抗力の増加を、電動機への入力電力の増加で検出し、ドラムスクリーンの逆転により、このような負荷の解消を図った構造のものがある（例えば、特許文献２参照。）。
【０００５】
【特許文献１】
特許第２７０１０１７号公報
【特許文献２】
特開昭５７−１８７０１０号公報
【０００６】
【発明が解決しようとする課題】
しかしながら、上記特許文献１に開示の構造によれば、各ウェッジバーと各かき寄せ櫛とのなす角度が鈍角となる構造とされているため、各かき寄せ櫛で夾雑物をかき寄せて下流側に横送りするに際して、夾雑物がかき寄せ櫛を乗り越えるおそれがあり、横送り効率が悪くなり、各ウェッジバー前面部に夾雑物が滞留して、スクリーン部を夾雑物で閉塞する機会が多くなる欠点がある。
【０００７】
また、各ウェッジバー間の背面から水を噴出させ、夾雑物を噴水流によりもとの河川側に戻す構造によれば、噴水パイプ等を別途配設する必要があり、構造の複雑化を招くおそれがあった。
【０００８】
さらに、このような横型バースクリーン装置においては、各ウェッジバーの両端部を所定間隔有した状態で支持する必要があり、この支持部分に夾雑物が滞留すると装置のロックを招くおそれがあると共に、そのようなロックにより過負荷が生じて装置の損壊を招くおそれもあった。
【０００９】
また、上記特許文献２に開示の構造によれば、ドラムスクリーンの逆転により過負荷の発生を防止する構造を示しているが、ドラムスクリーン自体を回転させる構造であり、電動機の負荷を考慮すると、ドラムスクリーン部分を大きく確保しづらく、用途が限定されるおそれもあった。
【００１０】
そこで、本発明は上記問題点に鑑み、過負荷の発生が有効に防止できる横型バースクリーン装置を提供することを目的とする。
【００１１】
【課題を解決するための手段】
上記目的を達成するための技術的手段は、複数のバーが上下方向に等間隔を有して配置されたスクリーン部と、流路における上流側の上部と下部および下流側の上部と下部にそれぞれ配置されたスプロケットと、上部のスプロケット間および下部のスプロケット間にそれぞれ巻き掛けられたチェーンと、上下のチェーン間にまたがって取り付けられたレーキアタッチメントと、レーキアタッチメントに装着されると共に各バー間より外方突出可能とされた複数のレーキ体とが備えられ、電動機の正転駆動による各スプロケットの回転駆動により複数のレーキ体が各バー間を上流側から下流側に向かって移動する横型バースクリーン装置において、前記電動機の電流もしくは電力を検出する負荷検出器が備えられ、該負荷検出器が設定値以上の負荷を検出すると、電動機の回転駆動を停止させ、逆転駆動するようにし、この逆転駆動後の所定時間内に前記設定値以上の負荷を検出すると、さらに電動機の回転駆動を停止させ、反転駆動するようにし、この反転駆動を一定回数繰り返すと、運転停止するように制御する制御部が備えられた点にある。
【００１２】
また、前記制御部は、前記電動機の前記逆転駆動している時間が前記所定時間を経過すれば、自動的に前記正転駆動に戻すように制御する構造としてもよい。
【００１３】
さらに、前記各バー間を下流側から上流側に向かって移動する各レーキ体の移動方向前側端縁における各バーに対してなす角度が、鈍角に形成された構造としてもよい。
【００１４】
また、前記各バーの上流側端部および下流側端部に、各バーを前記等間隔に保持するためのスペーサ体が配置され、上流側端部に配置されたスペーサ体の下流側端縁が、スクリーン部の外方向に対して漸次上流側に傾斜する外広がり傾斜縁とされた構造としてもよい。
【００１５】
さらに、前記各レーキ体が前記各バー間を移動する際、各レーキ体を前記スクリーン部の内外方向に対して蛇行状に移動させる構造としてもよい。
【００１６】
【発明の実施の形態】
以下、本発明の実施形態を図面に基づいて説明すると、図１および図２に示される如く、横型バースクリーン装置１が合流式下水道における雨水吐き室２の越流堰３上に設置された構造とされており、雨水吐き室２は越流堰３により一側の主流流路としての処理場案内室２ａと、他側の増水時流路としての放流案内室２ｂとに仕切られている。
【００１７】
また、雨水吐き室２の処理場案内室２ａには、生活排水や汚水、雨水等が流入される流入管４が接続されると共に、流入した生活排水等の流入水を下水処理場に案内する遮集管５が接続され、放流案内室２ｂには降雨時等の流入水の増加により越流堰３を越えた未処理水を河川等に放流するための放流管６が接続されている。
【００１８】
そして、横型バースクリーン装置１は、越流堰３を越えて河川等に放流される未処理放流水からゴミ等の夾雑物をろ過して除去する機能を発揮する。
【００１９】
横型バースクリーン装置１は、図３ないし図５に示される如く、直方体形状に枠組み構成された装置ハウジング１１を備え、装置ハウジング１１の前面に形成された矩形開口１１ａの外面側に位置して、矩形開口１１ａを覆うようにスクリーン部１２が備えられている。
【００２０】
スクリーン部１２は、上下一対のアングル材等からなるバーフレーム１３と、両バーフレーム１３間に介在される帯板状の複数のバー１４とを備え、雨水吐き室２から遮集管５に流れる流路における各バー１４の上流側端部Ａおよび下流側端部Ｂに位置して、バーフレーム１３とバー１４間、および各バー１４間には、それぞれスペーサ体１５が配置された状態でボルト等を介して互いに着脱自在に連結固定されている。
【００２１】
ここに、上下のバーフレーム１３とバー１４、および各バー１４は相互に上下方向に等間隔を有した状態で水平に配置された構造とされている。そして、上下のバーフレーム１３が矩形開口１１ａの上方および下方で装置ハウジング１１にボルト等により着脱自在に装着されている。
【００２２】
この際、図３および図４に示される如く、流入水の流路を構成する処理場案内室２ａにおける上流側端部Ａに配置された各スペーサ体１５の下流側端縁は、スクリーン部１２の外方向に対して漸次上流側に傾斜する外広がり傾斜縁１５ａとされ、下流側端部Ｂに配置された各スペーサ体１５の上流側端縁は、スクリーン部１２の外方向に対して漸次下流側に傾斜する外広がり傾斜縁１５ｂとされ、ここに、上流側および下流側に位置する各スペーサ体１５の互いに対向する内側の端縁１５ａ、１５ｂは、スクリーン部１２の外方向に向けて漸次拡開する構造とされている。
【００２３】
また、図４および図５に示される如く、装置ハウジング１１内における上流側の上部と下部、および下流側の上部と下部には、それぞれスプロケット１６が回転駆動自在に配置されている。即ち、上流側の上下の各スプロケット１６は、上下方向の軸心を有すると共に回転自在に支持された従動軸１７にそれぞれ固定され、また下流側の上下の各スプロケット１６は、上下方向の軸心を有すると共に回転自在に支持された駆動軸１８にそれぞれ固定されている。そして、この駆動軸１８は、電動機１９の駆動軸１９ａにカップリング等を介して連動連結されている。
【００２４】
さらに、上部の両スプロケット１６間および下部の両スプロケット１６間には、それぞれ無端状のチェーン２０が巻き掛けられ、これら上下の両チェーン２０間にまたがってレーキアタッチメント２１が着脱自在に装着されている。なお、本実施形態では、レーキアタッチメント２１がチェーン２０の長手方向に等間隔を有して一対配置された構造とされている。また、従来同様、各チェーン２０に所定のテンションを付与するテンション付与機構も適宜備えられている。
【００２５】
そして、各レーキアタッチメント２１には、上下方向に等間隔を有して複数のレーキ体２２が外側方突出状として着脱自在に装着されている。本実施形態においては、図５に示される如く、板状のレーキ体２２とスペーサ体２３とが交互に重合されることにより、各レーキ体２２が上下方向に等間隔を有して配置された構造とされている。
【００２６】
また、電動機１９の正転駆動により、駆動軸１８を介して上下の両スプロケット１６が所定方向に回転駆動され、この両スプロケット１６の回転駆動により上下のチェーン２０が図４の矢印で示される所定方向に循環回走される。
【００２７】
そして、この両チェーン２０の循環回走に伴って、各レーキ体２２も循環回走され、各レーキ体２２がスクリーン部１２を通過する際には、各バー１４間を上流側端部Ａから下流側端部Ｂに向かって移動する構造とされている。また、この際、各レーキ体２２の先端部が各バー１４よりも外方に突出する構造とされている。
【００２８】
さらに、各バー１４間を各レーキ体２２が移動する際、各レーキ体２２の移動方向前側端縁２２ａは、各バー１４に対してなす角度θが直角となるように、バー１４の長手方向に対して直交する端縁として形成されている。
【００２９】
なお、各レーキ体２２がスクリーン部１２と反対側を移動する際には、図４および図５に示される如く、前記矩形開口１１ａと略対称に、装置ハウジング１１の背面側に形成された矩形開口１１ｂより外方に突出して移動する構造とされている。
【００３０】
また、電動機１９の前記正転駆動と逆方向の逆転駆動により、上下のチェーン２０が前記所定方向と逆方向に循環回走される構造とされ、そして、各バー１４間を各レーキ体２２が下流側から上流側に向かって移動する際、各レーキ体２２の移動方向前側端縁２２ｂは、各バー１４に対してなす角度δが鈍角となるように、バー１４の長手方向に対して外向き傾斜する端縁として形成されている。
【００３１】
さらに、スクリーン部１２の上流側端部Ａで、各レーキ体２２が回転移動して各バー１４間に各レーキ体２２が侵入され、スクリーン部１２の下流側端部Ｂで、各レーキ体２２が回転移動して各バー１４間から各レーキ体２２が退避されるように、上流側の各スプロケット１６および下流側の各スプロケット１６が装置ハウジング１１内の適宜位置に配置されている。
【００３２】
また、本実施形態においては前記各スプロケット１６として、番手が大きく、即ちピッチが大きく、歯数の少ないいわゆる小径のスプロケットが使用されており、図６に示される如く、スプロケット１６の第１の回転位置Ｘ１と第２の回転位置Ｘ２とにより、かみ合って循環回走されるチェーン２０の走行ラインＹ１、Ｙ２に大きなライン差Ｚが生じる構造とされている。例えば、各スプロケット１６として番手：８０番、歯数：１２枚のスプロケットを使用した場合、２〜３ｍｍ程度のライン差Ｚが生じる。なお、この種のスクリーン装置における従来のスプロケットとしては、例えば、番手：５０番、歯数：４０枚のスプロケットが使用されており、チェーンの走行安定性を考慮して、むしろこのようなライン差Ｚが抑制されるように設定していた。
【００３３】
そして、各スプロケット１６が回転駆動されて各チェーン２０が循環回走されると、走行ラインＹ１、Ｙ２のライン差Ｚの繰り返しにより、図７に示される如く、上流側のスプロケット１６と下流側のスプロケット１６間でチェーン２０と共に移動操作される各レーキ体２２は、各バー１４間を上流側から下流側に向かって移動する際、スクリーン部１２の内外方向に対し、前記ライン差Ｚを蛇行幅として、蛇行状に移動される構造とされている。なお、電動機１９の逆転駆動により各スプロケット１６が逆方向に回転駆動される場合でも、同様に蛇行状に移動される。
【００３４】
また、図３および図５に示される如く、電動機１９を駆動制御するための制御部２４が備えられており、図２に示されるように、処理場案内室２ａ内の水位が上昇して放流案内室２ｂ側に流入する越流開始水位となるスクリーン起動水位Ｈを図示省略の水位計により検出すると電動機１９が正転駆動され、その後、水位が低下してスクリーン停止水位Ｌを検出すると電動機１９が停止されるように制御する制御回路を備えた構成とされている。
【００３５】
さらに、電源２６から電動機１９に至る回路に、電動機１９に流れる電流を検出する負荷検出器としての負荷センサ２７が備えられ、予め設定された負荷の設定値としての設定電流値以上の電流値を負荷センサ２７が検出すると、制御部２４は電動機１９に対し、所定の制御を行う制御回路も備えた構成とされている。
【００３６】
次に、この制御部２４による電動機１９の制御について、図８および図９のフローチャートを参照しながら説明する。
【００３７】
先ず、水位計で検出される信号によりスクリーン起動水位Ｈかどうかが判断され（ステップＳ１）、スクリーン起動水位Ｈに達していなければ、電動機１９は駆動されず、装置１は停止した状態で維持される。
【００３８】
また、スクリーン起動水位Ｈに達したことが検出されると、電動機１９が正転駆動され、各レーキ体２２が各バー１４間を上流側から下流側に向けて移動する正転運転が開始される（ステップＳ２）。
【００３９】
そして、この正転運転が行われている際、負荷センサ２７は電動機１９に流れる電流を検出し、予め設定された設定電流値以上の電流値を検出するかどうかが判断され（ステップＳ３）、設定電流値以上の電流値を検出しない場合には、ステップＳ４に移行して、スクリーン停止水位Ｌ以下かどうかが判断され、スクリーン停止水位Ｌ以下でなければ、ステップＳ２に戻り、スクリーン停止水位Ｌ以下になれば、ステップＳ５に移行して、電動機１９の正転駆動が停止されて、装置１の運転が停止される。
【００４０】
また、ステップＳ３において、負荷センサ２７が設定電流値以上の電流値を検出した場合には、電動機１９の正転駆動が停止されて、一旦、装置１の正転運転が停止され（ステップＳ６）、その後、電動機１９が逆転駆動され、各レーキ体２２が各バー１４間を下流側から上流側に向けて移動する装置１の逆転運転が開始されると共に、タイマーが作動する（ステップＳ７）。
【００４１】
その後、ステップＳ８に移行して、ステップＳ３と同様、負荷センサ２７が設定電流値以上の電流値を検出するかどうかが判断され、設定電流値以上の電流値を検出しない場合には、タイマー設定された所定時間が経過したかどうかが判断され（ステップＳ９）、経過していない場合にはステップＳ８に戻る。
【００４２】
また、タイマー設定された時間が経過すると、電動機１９の逆転駆動が停止されて、装置１の逆転運転が停止され（ステップＳ１０）、再度、電動機１９を正転駆動して、装置１の正転運転が開始される（ステップＳ１１）。その後、ステップＳ４に移行する。
【００４３】
前記ステップＳ８において、負荷センサ２７が設定電流値以上の電流値を検出した場合には、電動機１９の逆転駆動が停止されて、装置１の逆転運転が停止され（ステップＳ１２）、再度、電動機１９を正転駆動して、装置１の正転運転が開始される（ステップＳ１３）。そして、負荷センサ２７が設定電流値以上の電流値を検出するかどうかが判断され（ステップＳ１４）、設定電流値以上の電流値を検出しない場合には、ステップＳ４に移行する。
【００４４】
また、ステップＳ１４において、設定電流値以上の電流値を検出した場合には、電動機１９の正転駆動が停止されて、装置１の正転運転が停止され（ステップＳ１５）、再度、電動機１９を逆転駆動して、装置１の逆転運転が開始されると共に、タイマーが作動する（ステップＳ１６）。
【００４５】
その後、ステップＳ１７に移行して、ステップＳ８と同様、負荷センサ２７が設定電流値以上の電流値を検出するかどうかが判断され、設定電流値以上の電流値を検出しない場合には、タイマー設定された時間が経過したかどうかが判断され（ステップＳ１８）、経過していない場合にはステップＳ１７に戻る。
【００４６】
そして、タイマー設定された時間が経過すると、電動機１９の逆転駆動が停止されて、装置１の逆転運転が停止され（ステップＳ１９）、再度、電動機１９を正転駆動して、装置１の正転運転が開始される（ステップＳ２０）。その後、ステップＳ４に移行する。
【００４７】
また、前記ステップＳ１７において、負荷センサ２７が設定電流値以上の電流値を検出した場合には、電動機１９の逆転駆動が停止され、装置１の故障であると判断されて装置１の運転が停止される（ステップＳ２１）。
【００４８】
なお、負荷センサ２７により検出される判断基準としての予め設定される電流値の前記設定電流値は、装置１に過負荷が生じない適宜値を設定すればよく、タイマー設定の時間も適宜時間を設定すればよい。
【００４９】
本実施形態は以上のように構成されており、通常時は、流入管４を通じて雨水吐き室２の処理場案内室２ａに流入する生活排水等の流入水は所定量以下であるため、雨水吐き室２の水位はスクリーン停止水位Ｌ以下となっており、電動機１９が駆動されることなく、流入水は遮集管５を通じて所定の下水処理場に案内される。
【００５０】
そして、雨天時等により、流入管４を通じて雨水吐き室２に流入する流入水が所定量以上となると、雨水吐き室２の処理場案内室２ａの水位が徐々に上昇し、スクリーン起動水位Ｈに達した場合には、越流堰３を越えて放流案内室２ｂに流入し、放流管６を通じて河川等に放流される。
【００５１】
この越流堰３を越えて放流案内室２ｂに流入する際、流入水は横型バースクリーン装置１を通過するため、流入水中に含まれるゴミ等の夾雑物はスクリーン部１２で捕捉され、ろ過されるため、夾雑物の放流が有効に防止できる。
【００５２】
またこの際、水位計によってスクリーン起動水位Ｈが検出されて、電動機１９の正転駆動が開始され、各レーキ体２２が所定方向に循環回走され、スクリーン部１２における各バー１４間を上流側から下流側に向かって移動する。この各レーキ体２２の移動により、スクリーン部１２で捕捉された夾雑物が各レーキ体２２によって下流側へかき寄せられて横送りされるため、スクリーン部１２における各バー１４間の目詰まりが有効に防止できる。
【００５３】
その後、流入管４からの流入量が減少して処理場案内室２ａ内の水位が徐々に減少し、スクリーン停止水位Ｌに至ると、水位計がこのスクリーン停止水位Ｌを検出して電動機１９を停止させ、通常の待機状態に戻る。
【００５４】
また、スクリーン部１２の下流側にかき寄せられた夾雑物は、その後、流入水の流れに伴い遮集管５を通じて下流側の下水処理場に案内される。
【００５５】
特に、本実施形態においては、電動機１９の電流を負荷センサ２７により監視しており、各レーキ体２２の所定方向の循環移動によりスクリーン部１２で捕捉された夾雑物が下流側で堆積し、各レーキ体２２とスクリーン部１２との相互間で夾雑物のかみ込み等により、各レーキ体２２の移動負荷が増加した場合等においては、電動機１９の負荷増加に伴いその電流値が上昇し、その電流値が設定電流値を超えた場合には、装置１を逆転運転して、各バー１４間を各レーキ体２２が下流側から上流側に向かう逆方向に所定時間、循環移動し、所定時間経過後、正規の正転運転に戻すよう制御されているため、逆転運転によりかみ込み等の原因となっている夾雑物の自然除去が可能となり、この逆転運転による夾雑物の除去のトライにより、夾雑物のかみ込みに起因するロックによる装置１の停止頻度の減少が図れる。そして、その後は正転運転に戻されるため、スクリーン部１２で捕捉された夾雑物を下流側にかき寄せる通常の機能を発揮し、スクリーン部１２の目詰まりを有効に防止できる。
【００５６】
また、電動機１９の負荷増加を検出して、装置１の逆転運転により夾雑物の除去をトライするように制御しているため、過負荷に至るまで夾雑物の堆積を放置せず、許容可能な設定電流値以上の高負荷が作用した時点で、夾雑物の除去がトライされ、予防保全が図れ、大きな故障につながらず、装置１の損壊が有効に防止できる利点がある。
【００５７】
さらに、本実施形態においては、逆転運転時においても電動機１９の電流を負荷センサ２７により監視しており、逆転運転時に電動機１９の電流が設定電流値を超えた場合にも、その逆転運転である正規の正転運転に戻す制御であり、過負荷の発生が有効に防止できると共に、１度の一定時間の逆転運転による夾雑物除去のトライだけでなく、負荷に応じて正転運転と逆転運転を交互に複数回繰り返して夾雑物除去をトライする制御であり、この点からも夾雑物のかみ込みに起因するロックによる装置１の停止頻度が有効に減少できると共に、装置１を過負荷から有効に保護できる。
【００５８】
また、電動機１９の駆動制御により、各バー１４間を各レーキ体２２が上流側から下流側に向かって移動する正方向移動と、下流側から上流側に向かって移動する逆方向移動とに切り換えることによって夾雑物を除去する構造であり、特許文献１に開示のような噴水パイプ等の別途部材が必要とされず、構造の簡素化が図れる利点もある。
【００５９】
さらに、電動機１９の正逆駆動により、比較的軽量である各レーキ体２２を前記正方向移動と前記逆方向移動させる構造であり、特許文献２に開示のようにドラムスクリーン自体を正逆回転させる構造と比較して、電動機１９の負荷を考慮せずにスクリーン部１２の大きさを自由に設定でき、用途があまり限定されず、汎用性にも優れる利点がある。
【００６０】
また、各レーキ体２２が各バー１４間を移動する際、各レーキ体２２をスクリーン部１２の内外方向に対して蛇行状に移動させる構造としているため、装置１の正転運転時においては、スクリーン部１２で捕捉された夾雑物が各レーキ体２２により下流側にかき寄せられる場合に、夾雑物のかき取りやかき寄せが安定し、効率よくかき寄せて横送りすることができ、ここに、夾雑物のかみ込みによるロックが起こり難くなり、夾雑物のかみ込みによるロックを有効に防止できる利点がある。
【００６１】
これに対して、装置１の逆転運転時においては、各レーキ体２２の蛇行状の移動により、かみ込み状となっている夾雑物を効果的に逆送りでき、各バー１４間等から有効に除去できる利点がある。
【００６２】
また、スクリーン部１２の下流側端部Ｂは、かき寄せられた夾雑物が集まるため、滞留を招きやすい傾向にあるが、各レーキ体２２がチェーン２０に外側方突出状に大きくオフセットされた状態で装着されており、スクリーン部１２の下流側端部Ｂで各レーキ体２２が回転移動するようにスプロケット１６が配置されているため、各レーキ体２２が下流側端部Ｂで回転移動する際、各レーキ体２２先端部の移動速度が上がり、かき寄せられた夾雑物を下流側端部Ｂではねのけることができ、スクリーン部１２の表面から夾雑物を有効に剥離させることができる。
【００６３】
さらに、スクリーン部１２の下流側端部Ｂの各バー１４間に入り込んだ夾雑物は行き場を失い、堆積するが、本実施形態においては、スクリーン部１２の下流側端部Ｂに配置された各スペーサ体１５の上流側端縁が、外広がり傾斜縁１５ｂとされており、各バー１４間に入り込んで下流側端部Ｂにかき寄せられた夾雑物は外広がり傾斜縁１５ｂに沿って順次外方に押し出されるため、夾雑物の堆積量を抑制でき、この点からもレーキ体２２のロックを有効に防止できる。
【００６４】
また、スクリーン部１２の上流側端部Ａに配置された各スペーサ体１５の下流側端縁も、外広がり傾斜縁１５ａとされており、装置１の逆転運転時においても上記と同様の効果を発揮する。
【００６５】
さらに、装置１の正転運転時において、各バー１４間を移動する各レーキ体２２の移動方向前側端縁２２ａは、各バー１４に対してなす角度θが直角となるように形成されているため、各バー１４間を各レーキ体２２が移動する際、スクリーン部１２で捕捉された夾雑物は各レーキ体２２に効率よく係合し、下流側へかき寄せられて横送りされるため、この点からもスクリーン部１２における各バー１４間の目詰まりが有効に防止できると共に、捕捉された夾雑物を効率よく下流側にかき寄せていくことができ、夾雑物の横送り効率が向上する。
【００６６】
また、装置１の逆転運転時においては、各バー１４間を移動する各レーキ体２２の移動方向前側端縁２２ｂは、各バー１４に対してなす角度δが鈍角となるように形成されているため、各バー１４間を各レーキ体２２が移動する際、スクリーン部１２で捕捉された夾雑物は、各レーキ体２２の外向きに傾斜する端縁２２ｂによりスクリーン部１２の外方に押し出され、スクリーン部１２の表面から剥離させる機能を発揮する。従って、逆転運転時に、スクリーン部１２からかみ込み状の夾雑物を有効に除去する機能を発揮できる。
【００６７】
なお、上記実施形態において、電動機１９の電流が設定電流値を超えるかどうかを検出することにより、逆転運転を開始して、過負荷の発生を防止する構造を示しているが、電動機１９の電力が予め設定された設定値以上の電力値を検出することにより、前述同様に、運転制御する構造としてもよい。
【００６８】
また、上記実施形態において、負荷センサ２７が設定電流値以上の電流値を検出した場合に、逆転運転と正転運転との反転駆動を複数（一定回数）回繰り返すと、運転停止するように制御した構造を示しているが、このような繰り返し回数は１回であってもよく、３回以上であってもよく、必要に応じて適宜設定すればよい。
【００６９】
さらに、横型バースクリーン装置１を、合流式下水道における雨水吐き室２に設置した構造を示しているが、河川での取水口等に設置する構造であってもよく、上記実施形態に何ら限定されない。
【００７０】
【発明の効果】
以上のように、本発明の横型バースクリーン装置によれば、電動機の電流もしくは電力を検出する負荷検出器が備えられ、該負荷検出器が設定値以上の負荷を検出すると、電動機の回転駆動を停止させ、逆転駆動するようにし、この逆転駆動後の所定時間内に設定値以上の負荷を検出すると、さらに電動機の回転駆動を停止させ、反転駆動するようにし、この反転駆動を一定回数繰り返すと、運転停止するように制御する制御部が備えられたものであり、電動機に一定以上の負荷が作用した場合には自動的に逆転駆動されて、反転駆動を一定回数繰り返すため、負荷の原因となっている夾雑物の除去がトライされて、ロックによる装置の停止頻度が減少できると共に、装置に対する過負荷の発生が有効に防止でき、装置の損壊が有効に防止できる利点がある。
【００７１】
また、制御部は、電動機の逆転駆動している時間が所定時間を経過すれば、自動的に正転駆動に戻すように制御する構造とすれば、負荷の原因となっている夾雑物の除去後は、正転駆動に戻されるため、スクリーン部の目詰まりを有効に防止できる。
【００７２】
さらに、各バー間を下流側から上流側に向かって移動する各レーキ体の移動方向前側端縁における各バーに対してなす角度が、鈍角に形成された構造とすれば、各レーキ体が各バー間を下流側から上流側に向かって移動する際に、スクリーン部の表面から夾雑物を効率よく剥離させることができる利点がある。
【００７３】
また、各バーの上流側端部および下流側端部に、各バーを等間隔に保持するためのスペーサ体が配置され、上流側端部に配置されたスペーサ体の下流側端縁が、スクリーン部の外方向に対して漸次上流側に傾斜する外広がり傾斜縁とされた構造とすれば、逆転駆動によってかき寄せられた夾雑物は外広がり傾斜縁に沿って順次外方に案内されるため、スクリーン部の上流側端部における夾雑物の堆積量が抑制できる利点がある。
【００７４】
さらに、各レーキ体が各バー間を移動する際、各レーキ体をスクリーン部の内外方向に対して蛇行状に移動させる構造とすれば、各レーキ体を各バー間で下流側に向けて移動させる場合には、スクリーン部で捕捉された夾雑物が各レーキ体により下流側にかき寄せられる際に、夾雑物のかき取りやかき寄せが安定し、効率よくかき寄せることができ、夾雑物のかみ込みによるロックを有効に防止できる利点があると共に、各レーキ体を各バー間で上流側に向けて移動させる場合には、各レーキ体の蛇行状の移動により、かみ込み状となっている夾雑物を効果的に逆送りでき、各バー間等から有効に除去できる利点がある。
【図面の簡単な説明】
【図１】本発明の実施形態にかかる雨水吐き室の概略説明図である。
【図２】同断面説明図である。
【図３】横型バースクリーン装置の正面図である。
【図４】図３の平断面説明図である。
【図５】図３の側断面説明図である。
【図６】スプロケットの回転位置とチェーンの走行ラインとの関係を示す説明図である。
【図７】レーキ体の蛇行移動を示す説明図である。
【図８】運転制御を示すフローチャートである。
【図９】運転制御を示すフローチャートである。
【符号の説明】
１  横型バースクリーン装置
２  雨水吐き室
３  越流堰
４  流入管
５  遮集管
６  放流管
１２  スクリーン部
１３  バーフレーム
１４  バー
１５  スペーサ体
１５ａ  外広がり傾斜縁
１５ｂ  外広がり傾斜縁
１６  スプロケット
１９  電動機
２０  チェーン
２１  レーキアタッチメント
２２  レーキ体
２４  制御部
２６  電源
２７  負荷センサ
【図１】
2005036423.tif 000003
【図２】
2005036423.tif 000004
【図３】
2005036423.tif 000005
【図４】
2005036423.tif 000006
【図５】
2005036423.tif 000007
【図６】
2005036423.tif 000008
【図７】
2005036423.tif 000009
【図８】
2005036423.tif 000010
【図９】
2005036423.tif 000011